(57)【要約】【課題】  磁力線を通過させる対象となる物質、例えば液体等の流動体を載置することによって、該物質に対して磁力線を加えることができる載置台を提供することを課題としている。【解決手段】  磁力線を通過させる対象となる物質を載置する載置面Ｓを備えた載置部３における載置面Ｓの反対側に、載置面Ｓに対して垂直方向に磁力線Ｍ’が発生するように磁石を設けた。該磁石として、同極が対向するように所定間隔Ｇを介して配置した２個又は２個とみなされる磁石８、又はドーナツ状の磁石１２とした。また載置面Ｓの反対側の磁石の周面及び底面側を覆い、載置面Ｓに向かう方向を除く他の方向への磁力線の漏洩を規制するケース１１を設け、磁力線を載置面Ｓに集中的に向かわせた。【選択図】図２
2005349334.tif 000002
【特許請求の範囲】
【請求項１】
磁力線を通過させる対象となる物質を載置する載置面（Ｓ）を備えた載置部（３）と、該載置部（３）を挟んだ載置面（Ｓ）の反対側に配置される磁石とからなり、該磁石を載置面（Ｓ）に対して垂直方向に磁力線（Ｍ’）が発生するように構成した載置台。
【請求項２】
載置面（Ｓ）の反対側の磁石を、複数の磁石を所定の形状に並べて構成した請求項１の載置台。
【請求項３】
２個又は２個とみなされる磁石（８）を、同極が対向するように所定間隔（Ｇ）を介して配置して１組の磁石ユニット（６）とし、載置面（Ｓ）の反対側の磁石を、１つ又は複数の磁石ユニット（６）とした請求項２の載置台。
【請求項４】
磁石ユニット（６）を構成する両磁石（８）の間に非磁性体のスペーサ（９）を設けた請求項３の載置台。
【請求項５】
載置面（Ｓ）の反対側の磁石を、１つ又は複数のドーナツ状の磁石（１２）とした請求項１の載置台。
【請求項６】
載置面（Ｓ）の反対側の磁石の周囲及び底面側を覆い、載置面（Ｓ）に向かう方向を除く他の方向への磁力線の漏洩を規制するケース（１１）を設けた請求項１又は２又は３又は４又は５の載置台。
【請求項７】
磁力線を通過させる物質を透磁性の容器（２）内に収容された流動体（Ｌ）とし、容器（２）が載置部（３）に載置される請求項１又は２又は３又は４又は５の載置台。
【発明の詳細な説明】
【技術分野】
【０００１】
本発明は、磁力線を通過させる対象となる物質、例えば液体等の流動体を載置する載置台に関する。
【背景技術】
【０００２】
従来パイプ内を流通する流動体の流通方向に対して略垂直な磁力線を与え、流動体が磁力線を通過することによって流動体を活性化する磁気活性化装置が公知となっている（例えば特許文献１参照）。また流動体に複数の磁石による磁力線を照射することによって、流動体の分子集団を微細粒子化し、流動体を活性化するという技術も公知となっている（例えば特許文献２参照）。さらに流動体（水）を永久磁石により形成される磁場内通過（磁力線を通過）させることによって、流動体の殺菌を行なう技術も公知となっている（例えば特許文献３参照）。
【特許文献１】特許第３３５０６４０号公報
【特許文献２】特開平１１−１２５１５７号公報
【特許文献３】特開２０００-２５４６５３号公報
【発明の開示】
【発明が解決しようとする課題】
【０００３】
上記いずれの場合も磁力線を通過させる対象となる物質（流動体）を複数の磁石の間に挟み込む必要がある。このため所定の物質（流動体）の活性化や殺菌等を行なうために、物質に対して磁力線を通過させるシステムは、取り付けのために比較的大きなスペースが必要となるという欠点があった。
【課題を解決するための手段】
【０００４】
上記課題を解決するための本発明の載置台は、磁力線を通過させる対象となる物質を載置する載置面Ｓを備えた載置部３と、該載置部３を挟んだ載置面Ｓの反対側に配置される磁石とからなり、該磁石を載置面Ｓに対して垂直方向に磁力線Ｍ’が発生するように構成したことを第１の特徴としている。
【０００５】
第２に、  載置面Ｓの反対側の磁石を、複数の磁石を所定の形状に並べて構成したことを特徴としている。
【０００６】
第３に、２個又は２個とみなされる磁石８を、同極が対向するように所定間隔Ｇを介して配置して１組の磁石ユニット６とし、載置面Ｓの反対側の磁石を、１つ又は複数の磁石ユニット６としたことを特徴としている。
【０００７】
第４に、磁石ユニット６を構成する両磁石８の間に非磁性体のスペーサ９を設けたことを特徴としている。
【０００８】
第５に、載置面Ｓの反対側の磁石を、１つ又は複数のドーナツ状の磁石１２としたことを特徴としている。
【０００９】
第６に、載置面Ｓの反対側の磁石の周面及び底面側を覆い、載置面Ｓに向かう方向を除く他の方向への磁力線の漏洩を規制するケース１１を設けたことを特徴としている。
【００１０】
第７に、磁力線を通過させる物質を透磁性の容器２内に収容された流動体Ｌとし、容器２が載置部３に載置されることを特徴としている。
【発明の効果】
【００１１】
以上のように構成された本発明の構造によると、載置面に対して垂直方向に磁力線が発生するため、容器に収容された流動体等の載置面上の物質に対して磁力線が垂直方向に通過し、複数の磁石によって物質を挟み込むことなく、載置面上に物質を載置するのみで、該物質の活性化や殺菌等が、当該物質に対する一方向側の磁石によって簡単に行われる。
【００１２】
このとき載置面の反対側の磁石を、複数の磁石を所定の形状に並べて構成することによって、載置面に対して垂直方向により強い磁力線を形成することができる。特に２個又は２個とみなされる磁石を、同極が対向するように所定間隔Ｇを介して配置した磁石ユニットとすることによって、両磁石の磁力が反発することによって磁力線が垂直方向に延び、載置面に対して垂直な強磁力線が形成され、上記物質の活性化や殺菌等の作用を向上させることができる。
【００１３】
そして載置面のサイズに応じて磁石ユニットを複数設けることにより、載置面の全面において、載置面に対して垂直な強磁力線を形成することができる。なお磁石ユニットを構成する両磁石間に非磁性体のスペーサを設けることによって、磁石の配置を容易に且つ正確に行うことができる
【００１４】
また載置面の反対側の磁石を、ドーナツ状の磁石とすることによって、１つの磁石で比較的簡単に載置面に対して垂直な磁力線を形成させることができる。そして載置面の反対側の磁石の周面及び底面側を覆い、載置面に向かう方向を除く他の方向への磁力線の漏洩を規制するケースを設けことによって、磁力線を載置面に集中的に向かわせることができ、上記物質の活性化や殺菌等の作用を向上させることもできる。
【発明を実施するための最良の形態】
【００１５】
図１は本発明の載置台１の正面斜視図である。本載置台１はコースタと同様に、上面の載置面Ｓにグラスやコップ等の容器２を載置することができる。本載置台１は、上面が載置面Ｓをなす載置板３と、図２の底面斜視図に示されるように、載置板３の底面Ｂから突出する複数の脚４と、載置板３の底面Ｂに貼設される１つの磁石ユニット６とからなる。
【００１６】
載置板３は陶器製の板からなり、平面視で略正方形をなす。脚４は円柱形状をなし、載置板３における底面Ｂの各頂点部分に取り付けられている。磁石ユニット６は複数の四角柱形状をなす磁石７から構成される。
【００１７】
磁石ユニット６を構成する各磁石７は、１０００〜３０００ガウスの磁力を有している。図３に示されるように、Ｎ極とＳ極とが磁着された隣接する２つの磁石７によって１つの組磁石８が構成されている。組磁石は１つの磁石とみなすことができる。２つの組磁石８は、同極（本実施形態においてはＮ極）同士が対向する状態で所定の間隔Ｇを介して配置されている。該間隔Ｇを維持するために、両組磁石８の間には非磁性体のスペーサ９が介設されている。本実施形態においてスペーサ９は四角柱形状の発泡スチロールからなる。
【００１８】
１つの組磁石８は、１つの磁石とみなすことができるため、従来公知のように、Ｎ極からＳ極に向かう磁力線Ｍが図４（ａ）に示されるように形成される。ただし本磁石ユニット６は、上記のように２つの組磁石８が所定の間隔Ｇを介して同極（本実施形態においてはＮ極）同士が対向する状態で配置されている。
【００１９】
このため、両組磁石８の磁力は反発し合い、図４（ｂ）に示されるように、磁力線Ｍ’は載置面Ｓに対して垂直方向に延びる。これは磁力線が粒子の移動であり、磁力線の反発が磁力線の粒子同士が当接しないように粒子が移動するという説をとると、磁力線の粒子同士の反発による力によって磁力線が上下方向に大きく変形すると考えられる。
【００２０】
なお図５に示されるように、上記のように配置された磁石７の上方に砂鉄ｉｓを収容した容器２を配置すると、容器２内の砂鉄ｉｓは概ね垂直方向に立ち上がる。これにより磁力線Ｍ’が上記のように垂直方向に走っていることが確認される。このため容器２を載置面Ｓの上に載置すると、図６に示されるように、上記磁力線Ｍ’は容器２を略垂直に通過し、流動体Ｌを略垂直に通過する。ただし容器２は透磁性を有する必要がある。
【００２１】
そして磁石ユニット６が底面Ｂに設けられた載置板３の上面（載置面Ｓ）の磁力は約８２１ガウスとなっている。これより飲料水やお茶等の流動体が注がれているカップを容器２として載置面Ｓに載置すると、磁力線Ｍ’が容器２内の流動体を垂直方向に通過し、流動体（飲料水やお茶等）の活性化及び殺菌が行なわれる。
【００２２】
このとき本載置台１の使用者は、活性化のための作業を意識することなく、流動体が入っているカップやグラス等の容器２を本載置面Ｓに置くことのみによって、容器２内の流動体を活性化することができる。特に容器２を本載置台１に置き、中の飲料水やお茶等を飲み、容器２を再度置くという動作を繰り返すことによって、飲料水やお茶等が磁力線Ｍ’内を移動し、利用者が意識することなく活性化の効果が向上する。
【００２３】
なお載置面Ｓの面積がより大きい場合は、磁石ユニット６を複数設けることが望ましい。磁石ユニット６を複数設けることによって、載置面Ｓの全面において、載置面Ｓに対して垂直な強磁力線が形成され、載置面Ｓ上の全ての位置に載置される容器２内の流動体を活性化することができる。
【００２４】
また図７，図８に示されるように、上記磁石ユニット６の周面側及び底面側を、磁力の漏洩を防止するケース１１によって覆うように構成してもよい。該ケース１１は反磁性体等の材料によって形成される。これにより磁力線Ｍ’の載置面Ｓに向かう方向以外への方向の漏洩が防止され、磁力線Ｍ’を載置面方向に集中的に向かわせることができる。従って上記飲料流体の活性化効果が向上する。
【００２５】
なお図９及び図１０に示されるように、複数の磁石７を所定の形状に並べて磁石ユニット６を構成させてもよい。ただし磁石７を並べる形状は、磁力線が載置面Ｓに対して垂直方向に延びるようにする必要がある。これによっても前述のように載置台Ｓの上に載置されるカップやグラス等の容器２内の流動体の活性化等が可能となる。この場合も上記磁石ユニット６の周囲及び底面側を、磁力の漏洩を防止するケース１１によって覆うように構成してもよく、また上記のように構成された磁石ユニット６を複数設けてもよい。
【００２６】
一方図１１に示されるように、磁石ユニット６をドーナツ状の磁石１２から構成するようにしてもよい。この場合も上記のように載置面Ｓに略垂直方向となる磁力線が発生し、載置台Ｓの上に載置されるカップやグラス等の容器２内の流動体を活性化する。
【００２７】
この場合も上記磁石ユニット６の周面側及び底面側を、磁力の漏洩を防止するケース１１によって覆うように構成してもよい。またドーナツ状の磁石１２を行列状に複数並べて設けたり、磁石１２の径を異なるものとして、同心上に複数設けてもよい。  
【産業上の利用可能性】
【００２８】
食品工場等において流動体からなる飲食物を収容した容器を搬送するコンベアに対して適用することもできる。上記コンベアが載置板３をなし、コンベアにおける載置面の反対側に磁石ユニットを配置することによって、コンベア上を搬送される飲食物（流動体）等の活性化及び殺菌がなされる。このときコンベア上を搬送される物質（飲食物等）は、直接コンベア上に載置される場合や、トレイ等に入れられ、該トレイがコンベア上に載置される場合等が考えられる。
【００２９】
ＮＭＲ検査機器に対して適用することもできる。ＮＭＲ検査機器は検査対象を挟むように複数の磁石を配置し、これら磁石により形成される磁力線内に検査対象を位置させる。本載置台をＮＭＲ検査機器に適用することによって、検査対象の例えば下方側にのみ磁石（磁石ユニット６）を配置することができ、ＮＭＲ検査機器の構成を簡単にすることができる。
【図面の簡単な説明】
【００３０】
【図１】載置台の正面斜視図である。
【図２】載置台の底面斜視図である。
【図３】載置台の底面図である。
【図４】（ａ）は１つの組磁石に発生する磁力線を記載した正面図、（ｂ）は２つの組磁石に発生する磁力線を記載した正面図である。
【図５】容器内に収容した砂鉄の状態を示す斜視図である。
【図６】容器に対する磁力線の通過状態を示した正面断面図である。
【図７】磁石ユニットをケースで覆った載置台の底面斜視図である。
【図８】磁石ユニットをケースで覆った載置台の正面断面図である。
【図９】複数の磁石の他の配置方法を示す載置台の底面図である。
【図１０】複数の磁石の他の配置方法を示す載置台の底面図である。
【図１１】磁石ユニットをドーナツ状の磁石から構成した載置台の底面斜視図である。
【符号の説明】
【００３１】
２    容器
３    載置板（載置部）
６    磁石ユニット
８    組磁石（磁石）
９    スペーサ
１１  ケース
１２  ドーナツ状の磁石
Ｇ    間隔
Ｍ’  磁力線
Ｓ    載置面
【図１】
2005349334.tif 000003
【図２】
2005349334.tif 000004
【図３】
2005349334.tif 000005
【図４】
2005349334.tif 000006
【図６】
2005349334.tif 000007
【図７】
2005349334.tif 000008
【図８】
2005349334.tif 000009
【図９】
2005349334.tif 000010
【図１０】
2005349334.tif 000011
【図１１】
2005349334.tif 000012
【図５】
2005349334.tif 000013